(57)【要約】      （修正有）【課題】袋内の空気を排気する一方向弁として機能し、軽量で厚さ寸法が微小であり、構成が簡素化で、コストが低く、耐久性が高く、信頼性が高くなるようにする。【解決手段】基体２１は、第１排気孔２２が厚さ方向に貫通するように形成されたプレート状の部材であり、第１排気孔２２が減圧収納袋１０の袋本体１１に形成された第３排気孔１７と重なるように袋本体１１の表面に固着され、ダイヤフラム２５は、第２排気孔２６が厚さ方向に貫通するように形成されたフィルム状の部材であり、第２排気孔２６が第１排気孔２２と重ならないように基体２１の表面に剥離可能に貼付され、ダイヤフラム２５の表面が吸引されると、第２排気孔２６と第１排気孔２２とが連通し、表面が吸引されないと第２排気孔２６と第１排気孔２２との間が遮断される。【選択図】図１
2011102142.tif 000002
【特許請求の範囲】
【請求項１】
（ａ）第１排気孔を備える基体と、第２排気孔を備えるダイヤフラムとを有し、減圧収納袋に取り付けられ、該減圧収納袋内の空気を排出し、前記減圧収納袋内への空気の流入を阻止する一方向弁として機能する排気弁であって、
（ｂ）前記基体は、前記第１排気孔が厚さ方向に貫通するように形成されたプレート状の部材であり、前記第１排気孔が前記減圧収納袋の袋本体に形成された第３排気孔と重なるように前記袋本体の表面に固着され、
（ｃ）前記ダイヤフラムは、前記第２排気孔が厚さ方向に貫通するように形成されたフィルム状の部材であり、前記第２排気孔が前記第１排気孔と重ならないように前記基体の表面に剥離可能に貼付され、
（ｄ）前記ダイヤフラムの表面が吸引されると、前記第２排気孔と前記第１排気孔とが連通し、前記表面が吸引されないと前記第２排気孔と前記第１排気孔との間が遮断されることを特徴とする排気弁。
【請求項２】
前記ダイヤフラムの裏面は、微粘着性を備え、かつ、再貼付性及び再剥離性を備える請求項１に記載の排気弁。
【請求項３】
前記第２排気孔は、複数であり、前記第１排気孔の周辺に均等に配置される請求項１又は２に記載の排気弁。
【請求項４】
請求項１〜３のいずれか１項に記載の排気弁を有する減圧収納袋であって、
第３排気孔が厚さ方向に貫通するように形成された樹脂フィルムから成る袋本体を有し、
前記排気弁は、前記袋本体の表面における第３排気孔に対応する位置に取り付けられる減圧収納袋。
【発明の詳細な説明】
【技術分野】
【０００１】
本発明は、排気弁及びそれを有する減圧収納袋に関するものであり、特に、家庭において衣類、寝具等を内部に収納した状態で減圧することによって嵩（かさ）を小さくして保管する用途に適した排気弁及びそれを有する減圧収納袋に関するものである。
【背景技術】
【０００２】
従来、家庭内の衣装ケース、箪笥（たんす）、押入、クローゼット等の収納スペースを有効利用するために、セーター等の厚手の衣類や布団等の寝具などの収納物を密封式の収納袋内に収納した後、電気掃除機等の吸引装置によって収納袋内の空気を吸引排気することにより、収納物を圧縮減容して嵩を小さくした状態で保管する減圧収納袋が提案されている（例えば、特許文献１参照。）。
【０００３】
このような減圧収納袋を使用することによって、衣類や寝具などの収納物を１／３程度に圧縮減容して保管することができるので、家庭内の収納スペースを極めて有効に利用することができる。また、減圧収納袋の内部が減圧状態又は真空状態に維持されるので、防カビ、防虫等の効果も期待することができる。
【先行技術文献】
【特許文献】
【０００４】
【特許文献１】特開２００７−２０４０９７号公報
【発明の概要】
【発明が解決しようとする課題】
【０００５】
しかしながら、前記従来の減圧収納袋は、袋の本体に厚みのある逆止弁が装着されているので、減圧収納袋自体を複数重ねると嵩張ってしまい、コンパクトに収納することが困難である。前記逆止弁は、袋の本体を構成するフィルムに取り付けられた弁ケースと、該弁ケースに対してフィルムの厚さ方向に移動可能な弁体とを有し、該弁体の移動によって袋内部と外気との連通状態及び遮断状態を切り替えるものである。したがって、薄いフィルムから成る袋の本体の厚さに比較して、前記逆止弁の厚さはかなり厚いので、特に、複数の減圧収納袋を重ねた場合には、前記逆止弁の装着部分だけが大きく盛り上がってしまい、使用しない減圧収納袋を狭いスペースに収納することができなくなってしまう。
【０００６】
もっとも、減圧収納袋を重ねる際に、逆止弁の装着部分が重なり合わないように、隣接する減圧収納袋同士の向きを変化させることも考えられる。しかし、この場合、重ねた中から一つの減圧収納袋を引き出そうとすると、当該減圧収納袋の本体から突出している逆止弁が隣接する減圧収納袋の本体を擦って損傷を与えてしまうことがある。また、隣接する減圧収納袋の逆止弁に引っ掛かり、引き出すことができなくなったり、逆止弁が損傷を受けたりすることがある。
【０００７】
本発明は、前記従来の問題点を解決して、第１排気孔（こう）を備え、袋本体の表面に固着されるプレート状の基体の表面に、第２排気孔を備えるフィルム状のダイヤフラムを剥（はく）離可能に貼（てん）付することにより、袋内の空気を排気する一方向弁として機能し、軽量で厚さ寸法が微小であり、構成が簡素化で、コストが低く、耐久性が高く、信頼性の高い排気弁及び該排気弁を有する減圧収納袋を提供することを目的とする。
【課題を解決するための手段】
【０００８】
そのために、本発明の排気弁においては、第１排気孔を備える基体と、第２排気孔を備えるダイヤフラムとを有し、減圧収納袋に取り付けられ、該減圧収納袋内の空気を排出し、前記減圧収納袋内への空気の流入を阻止する一方向弁として機能する排気弁であって、前記基体は、前記第１排気孔が厚さ方向に貫通するように形成されたプレート状の部材であり、前記第１排気孔が前記減圧収納袋の袋本体に形成された第３排気孔と重なるように前記袋本体の表面に固着され、前記ダイヤフラムは、前記第２排気孔が厚さ方向に貫通するように形成されたフィルム状の部材であり、前記第２排気孔が前記第１排気孔と重ならないように前記基体の表面に剥離可能に貼付され、前記ダイヤフラムの表面が吸引されると、前記第２排気孔と前記第１排気孔とが連通し、前記表面が吸引されないと前記第２排気孔と前記第１排気孔との間が遮断される。
【０００９】
本発明の他の排気弁においては、さらに、前記ダイヤフラムの裏面は、微粘着性を備え、かつ、再貼付性及び再剥離性を備える。
【００１０】
本発明の更に他の排気弁においては、さらに、前記第２排気孔は、複数であり、前記第１排気孔の周辺に均等に配置される。
【００１１】
本発明の減圧収納袋においては、本発明の排気弁を有する減圧収納袋であって、第３排気孔が厚さ方向に貫通するように形成された樹脂フィルムから成る袋本体を有し、前記排気弁は、前記袋本体の表面における第３排気孔に対応する位置に取り付けられる。
【発明の効果】
【００１２】
本発明によれば、第１排気孔を備え、袋本体の表面に固着されるプレート状の基体の表面に、第２排気孔を備えるフィルム状のダイヤフラムを剥離可能に貼付する。これにより、袋内の空気を排気する一方向弁として機能し、軽量で厚さ寸法が微小であり、構成が簡素化で、コストが低く、耐久性が高く、信頼性の高い排気弁を提供することができる。
【図面の簡単な説明】
【００１３】
【図１】本発明の実施の形態における排気弁及び減圧収納袋の構造を示す断面図であり図３におけるＸ−Ｘ矢視断面図である。
【図２】本発明の実施の形態における減圧収納袋の斜視図である。
【図３】本発明の実施の形態における減圧収納袋の要部拡大平面図であり図２におけるＹ部拡大平面図である。
【図４】本発明の実施の形態における減圧収納袋内の空気を排気する動作を示す斜視図である。
【図５】本発明の実施の形態における減圧収納袋内の空気を排気した後の状態を示す斜視図である。
【発明を実施するための形態】
【００１４】
以下、本発明の実施の形態について図面を参照しながら詳細に説明する。
【００１５】
図１は本発明の実施の形態における排気弁及び減圧収納袋の構造を示す断面図であり図３におけるＸ−Ｘ矢視断面図、図２は本発明の実施の形態における減圧収納袋の斜視図、図３は本発明の実施の形態における減圧収納袋の要部拡大平面図であり図２におけるＹ部拡大平面図である。
【００１６】
図において、１０は本実施の形態における減圧収納袋であり、略矩（く）形に形成された２枚のフィルム状の袋本体１１を重ね合わせ、矩形の三辺を接着、熱融着、超音波溶着等の方法によって気密に固着することにより形成された袋状部材であり、排気弁２０を有する。なお、１２は２枚の袋本体１１を重ね合わせて気密に固着することによって形成された閉止縁部であり、略矩形の減圧収納袋１０の閉じた三辺に相当する。また、図２に示されるように、２枚の袋本体１１の残り一辺は、固着されておらず開閉可能な出入口１３となっている。該出入口１３には、開閉機構としてのチャック部１４が配設され、該チャック部１４を操作することによって、出入口１３を開放及び閉止させることができる。
【００１７】
前記減圧収納袋１０は、いかなる用途にも使用することができ、その内部に収納される対象物である収納物３１は、いかなる種類の物であってもよいが、好適には、ある程度の柔軟性を備える物である。本実施の形態においては、説明の都合上、前記収納物３１が肌着、セーター等の衣類や毛布、布団、シーツ等の寝具であり、前記収納物３１を内部に収納した状態で減圧収納袋１０内の空気を吸引して排出し、前記収納物３１を圧縮減容して嵩を小さくした状態で保管するために前記減圧収納袋１０を使用する場合についてのみ説明することとする。
【００１８】
なお、本実施の形態において、減圧収納袋１０及び排気弁２０における各部の構成及び動作を説明するために使用される上、下、左、右、前、後等の方向を示す表現は、絶対的なものでなく相対的なものであり、前記減圧収納袋１０及び排気弁２０における各部が図に示される姿勢である場合に適切であるが、その姿勢が変化した場合には姿勢の変化に応じて変更して解釈されるべきものである。
【００１９】
そして、前記袋本体１１は、厚さが、例えば、１０〜６０〔μｍ〕程度の柔軟性を備える樹脂フィルムから成り、典型的には、内部の収納物３１を外側から視認することができるように、透明又は半透明であるが、不透明であってもよい。また、前記袋本体１１は、ガスバリア性を備えることが望ましく、例えば、ポリエチレン、ポリエステル、ポリアミド等から成る複数の樹脂層をラミネートして成る基材の表面にアルミニウムを蒸着したフィルムや、シリカを蒸着したフィルムであってもよいし、ガスバリア性が良好な二軸延伸ポリビニルアルコールフィルム、二軸延伸ポリエチレンテレフタレートフィルム、エチレン−ビニルアルコール共重合体フィルム、ポリ塩化ビニリデンフィルム等のフィルム、又は、該フィルムを含むラミネートフィルムであってもよい。
【００２０】
前記チャック部１４は、袋本体１１と同様の材質の樹脂フィルムから成る帯状の部材であって、２枚の袋本体１１の各々における出入口１３の側縁に一体的に接続された一対の帯状基部１４ａと、各帯状基部１４ａの互いに対向する面に形成され、帯状基部１４ａの長手方向に延在する咬（か）み合い条部１４ｂとを備える。一方の帯状基部１４ａに形成された咬み合い条部１４ｂは連続する凸条の部材であり、他方の帯状基部１４ａに形成された咬み合い条部１４ｂは連続する凹溝を備え、前記凸条と凹溝とが咬み合うことによって、帯状基部１４ａ同士が気密に結合し、チャック部１４が閉じ、出入口１３が閉止される。これにより、減圧収納袋１０の内部は、外気、つまり、外部の空気から気密に遮断された状態となる。
【００２１】
なお、図２に示される例においては、咬み合い条部１４ｂが２本並んで形成されているが、必ずしも２本である必要はなく、１本であっても、３本以上であってもよい。また、咬み合い条部１４ｂを咬み合わせてチャック部１４を閉止する場合には、スライダ部材１５を使用すると、容易に、かつ、確実にチャック部１４を閉止することができるが、必ずしも、スライダ部材１５を使用する必要はない。
【００２２】
図１に示されるように、２枚の袋本体１１のうちの一方には、袋本体１１を厚さ方向に貫通する排気孔としての第３排気孔１７が形成され、該第３排気孔１７に対応する位置に、排気弁２０が配設されている。前記第３排気孔１７は、例えば、直径が１０〜２０〔ｍｍ〕程度の円形の孔（あな）であることが望ましいが、円形以外の形状であってもよく、大きさも適宜変更することができる。また、第３排気孔１７は、必ずしも、前記袋本体１１の中央付近に形成される必要はなく、いかなる位置に形成されてもよいが、周縁からはある程度離れた位置に形成されることが望ましい。
【００２３】
そして、前記排気弁２０は、プレート状の基体２１と、該基体２１に取り付けられたフィルム状のダイヤフラム２５とを有し、減圧収納袋１０内部の空気を第３排気孔１７を通して外部に排出するとともに、外気が第３排気孔１７を通して減圧収納袋１０内に流入することを阻止する一方向弁として機能する。なお、図１においては、袋本体１１と基体２１とが離間し、かつ、基体２１とダイヤフラム２５とが離間しているように描かれているが、実際には、袋本体１１の表面１１ａと基体２１の裏面２１ｂとは密着し、かつ、基体２１の表面２１ａとダイヤフラム２５の裏面２５ｂとは密着している。
【００２４】
前記基体２１には該基体２１を厚さ方向に貫通する排気孔としての第１排気孔２２が形成され、前記基体２１は、第１排気孔２２が第３排気孔１７と対応するように、すなわち、重なるように袋本体１１の表面１１ａに取り付けられている。前記第１排気孔２２は、いかなる形状のいかなる大きさの孔であってもよいが、前記第３排気孔１７と同一形状及び同一径の孔であることが望ましく、かつ、前記基体２１は、第１排気孔２２の中心と第３排気孔１７の中心とが一致する位置に取り付けられことが望ましい。なお、前記第１排気孔２２は、必ずしも、前記基体２１の中央付近に形成される必要はなく、いかなる位置に形成されてもよいが、周縁からはある程度離れた位置に形成されることが望ましい。
【００２５】
また、前記基体２１の平面形状は、図３に示される例においては、円形であるが、必ずしも円形である必要はなく、半円形であっても、楕（だ）円形であっても、三角形であっても、四角形であっても、五角形以上の多角形であってもよく、いかなる形状であってもよい。前記基体２１は、排気弁２０の弁座として機能する部材であり、厚さが、例えば、０．２〜３〔ｍｍ〕程度の剛性を備える板部材であるが、ある程度の柔軟性を備え、弾性的に変形可能な部材であってもよい。さらに、前記基体２１は、例えば、アルミニウム、鋼等の金属、ポリエチレン、アクリル、ポリカーボネイト等の樹脂、ガラス等のセラミクス、繊維等を含む複合材（コンポジット）等から成るが、空気を透過しない材質であれば、いかなる種類の材質から成るものであってもよい。
【００２６】
そして、前記基体２１の裏面２１ｂは、接着、熱融着、超音波溶着等の方法によって、袋本体１１の表面１１ａに気密に固着される。つまり、外気が、基体２１の裏面２１ｂと袋本体１１の表面１１ａの間を通って、第１排気孔２２及び第３排気孔１７内に流入することがないように、基体２１は袋本体１１に固着される。典型的には、前記基体２１の裏面２１ｂ及び袋本体１１の表面１１ａは、ともに、平滑面である。なお、基体２１の裏面２１ｂと袋本体１１の表面１１ａとが気密に密着するのであれば、通しボルト、リベット等の固着部材を使用して、基体２１を袋本体１１に固着してもよい。
【００２７】
また、前記ダイヤフラム２５には該ダイヤフラム２５を厚さ方向に貫通する排気孔としての第２排気孔２６が形成され、前記ダイヤフラム２５は、第２排気孔２６が第１排気孔２２と対応しないように、すなわち、重ならないように基体２１の表面２１ａに剥離可能に貼付されている。つまり、図３に示されるように、第２排気孔２６は、第１排気孔２２とオーバーラップしないように配設されている。前記第２排気孔２６は、いかなる形状の孔であってもよいが、円形の孔であることが望ましい。
【００２８】
図３に示される例において、前記第２排気孔２６の数は、４つであるが、適宜変更することができ、例えば、１つであってもよく、２つ又は３つであってもよく、さらに、５つ以上であってもよいが、複数であることが望ましい。また、各第２排気孔２６は、例えば、直径が０．５〜５〔ｍｍ〕程度の大きさであることが望ましいが、大きさは適宜変更することができる。さらに、前記第２排気孔２６は、図３に示されるように、上から観て、第１排気孔２２の周辺に均等に配置されることが望ましい。なお、第１排気孔２２の周縁から第２排気孔２６までの距離は、例えば、１〜４〔ｍｍ〕程度であるが、適宜変更することができる。
【００２９】
もっとも、本実施の形態における減圧収納袋１０は、主として一般家庭において使用されることを想定し、そのため、減圧収納袋１０内の空気を吸引して排出するための吸引装置としては、一般的な家庭用電気掃除機の使用が想定されている。具体的には、図１に示されるように、家庭用電気掃除機の備える吸引筒３５の先端をダイヤフラム２５の表面２５ａに押し当てた状態で、減圧収納袋１０内の空気を吸引することが想定されている。そのため、すべての第２排気孔２６は、図３に示されるように、我が国での平均的な家庭用電気掃除機の吸引筒３５における先端面内縁の位置を示す仮想円３５ａの内側に位置することが望ましい。なお、前記仮想円３５ａの径は、３０〔ｍｍ〕程度と考えられる。また、図３に示される例において、前記仮想円３５ａは、その中心が第１排気孔２２の中心と一致するように描かれている。つまり、前記吸引筒３５の先端が、その先端面内縁の中心が第１排気孔２２の中心と一致するように、ダイヤフラム２５の表面２５ａに押し当てられるものとして、説明されている。
【００３０】
そして、前記ダイヤフラム２５は、排気弁２０の弁体として機能する部材であり、厚さが、例えば、１０〜６０〔μｍ〕程度の柔軟性を備える樹脂フィルムから成り、典型的には、第１排気孔２２の位置を外側から視認することができるように、透明又は半透明であるが、不透明であってもよい。また、前記ダイヤフラム２５は、ガスバリア性を備えることが望ましく、例えば、ポリエチレン、ポリエステル、ポリアミド等から成る複数の樹脂層をラミネートして成る基材の表面にアルミニウムを蒸着したフィルムや、シリカを蒸着したフィルムであってもよいし、ガスバリア性が良好な二軸延伸ポリビニルアルコールフィルム、二軸延伸ポリエチレンテレフタレートフィルム、エチレン−ビニルアルコール共重合体フィルム、ポリ塩化ビニリデンフィルム等のフィルム、又は、該フィルムを含むラミネートフィルムであってもよい。
【００３１】
また、前記ダイヤフラム２５の平面形状は、図３に示される例においては、円形であるが、必ずしも円形である必要はなく、半円形であっても、楕円形であっても、三角形であっても、四角形であっても、五角形以上の多角形であってもよく、いかなる形状であってもよいが、前記基体２１の平面形状と対応するものであることが望ましい。なお、前記ダイヤフラム２５の外形寸法は、図１及び３に示されるように、前記基体２１の外形寸法とほぼ同様、又は、少し大きい程度であることが望ましい。
【００３２】
さらに、前記ダイヤフラム２５の裏面２５ｂは、基体２１の表面２１ａに剥離可能に貼付されるために、弱い粘着性、すなわち、微粘着性を備え、かつ、再貼付性及び再剥離性を備える。すなわち、前記ダイヤフラム２５の裏面２５ｂは、基体２１の表面２１ａへの貼付及び剥離を何度も繰り返して行うことができるものである。例えば、ダイヤフラム２５の裏面２５ｂをそれ自体が接着性又は粘着性を備えるポリ塩化ビニリデンフィルムで形成することによって、微粘着性を備え、かつ、再貼付性及び再剥離性を備える裏面２５ｂを得ることができる。また、例えば、ポリ塩化ビニル、ポリオレフィン等を含む接着剤の層をダイヤフラム２５の裏面２５ｂに形成することによって、微粘着性を備え、かつ、再貼付性及び再剥離性を備える裏面２５ｂを得ることができる。
【００３３】
前記ダイヤフラム２５の裏面２５ｂの微粘着性は、吸引筒３５の先端を表面２５ａに押し当てた状態で家庭用電気掃除機による吸引を行った場合に、吸引筒３５の先端に対応する部分の裏面２５ｂが基体２１の表面２１ａから離間して前記裏面２５ｂと基体２１の表面２１ａとの間を空気が流通可能となり、前記家庭用電気掃除機による吸引を停止すると、吸引筒３５の先端に対応する部分の裏面２５ｂが基体２１の表面２１ａに再び粘着して前記裏面２５ｂと基体２１の表面２１ａとの間を空気が流通不能となる程度のものである。なお、前記ダイヤフラム２５の周縁における裏面２５ｂは、接着、熱融着、超音波溶着等の方法によって基体２１の表面２１ａに気密に固着されていてもよい。つまり、前記ダイヤフラム２５の一部は、基体２１に対して剥離不能に取り付けられていてもよい。これにより、家庭用電気掃除機の吸引力が強くても、ダイヤフラム２５が基体２１から外れてしまうことがなく、外気が、ダイヤフラム２５の裏面２５ｂと基体２１の表面２１ａの間を通って、第１排気孔２２及び第２排気孔２６内に流入することがない。
【００３４】
また、前記基体２１の表面２１ａは、平滑面であることが望ましい。これにより、家庭用電気掃除機による吸引を行わない状態、すなわち、減圧収納袋１０内部の空気の排気を行わない状態では、ダイヤフラム２５の裏面２５ｂが基体２１の表面２１ａと気密に密着することができ、ダイヤフラム２５の裏面２５ｂと基体２１の表面２１ａとの間の空気の流通を確実に防止することができる。また、ダイヤフラム２５の表面２５ａも平滑面であることが望ましい。これにより、家庭用電気掃除機による吸引を行う場合、吸引筒３５の先端がダイヤフラム２５の表面２５ａに密着することができ、吸引効率が高くなる。
【００３５】
次に、前記構成の減圧収納袋１０の使用方法について説明する。
【００３６】
図４は本発明の実施の形態における減圧収納袋内の空気を排気する動作を示す斜視図、図５は本発明の実施の形態における減圧収納袋内の空気を排気した後の状態を示す斜視図である。
【００３７】
まず、減圧収納袋１０の使用者は、減圧収納袋１０のチャック部１４を開いて出入口１３を開放する。続いて、使用者は、前記出入口１３から収納物３１を減圧収納袋１０内に収納する。図に示される例において、収納物３１は寝具としての布団であり、折り畳んで重ねた状態で減圧収納袋１０内に収納されている。
【００３８】
続いて、使用者は、チャック部１４を閉じて出入口１３を閉止する。なお、この際にスライダ部材１５を使用すると、容易に、かつ、確実にチャック部１４を閉止することができる。これにより、減圧収納袋１０の内部は、外気から気密に遮断された状態となる。
【００３９】
続いて、使用者は、家庭用電気掃除機を用意し、図４に示されるように、その吸引筒３５の先端を減圧収納袋１０の袋本体１１に配設された排気弁２０の表面に位置するダイヤフラム２５の表面２５ａに押し当てる。なお、前記吸引筒３５は、可撓（とう）性を備える吸引ホース３６の先端に接続され、吸引ホース３６の基端は図示されない家庭用電気掃除機の本体に接続されている。また、一般的な家庭用電気掃除機においては、吸引筒３５の先端に床、畳等の清掃に適した形状の開口を備える吸引ヘッドが着脱可能に取り付けられるが、ここでは、このような吸引ヘッドを取り外した状態で使用する。さらに、吸引筒３５の先端に延長用吸引筒が着脱可能に取り付けられる場合には、延長用吸引筒も取り外すことが望ましい。
【００４０】
また、前記吸引筒３５の先端から電源ライン等を接続するための端子等が突出している場合、前記吸引筒３５の先端面内縁の径が通常の値である３０〔ｍｍ〕程度よりも著しく大きかったり小さかったりする場合、前記吸引筒３５の先端面内縁の形状が通常の円形でなく、矩形等の形状である場合等には、先端が平坦（たん）で、先端面内縁の形状が円形であり、かつ、その径が３０〔ｍｍ〕程度である図示されない筒状のアダプタを前記吸引筒３５の先端に取り付け、前記アダプタの先端を排気弁２０の表面に位置するダイヤフラム２５の表面２５ａに押し当てることが望ましい。
【００４１】
続いて、使用者が前記家庭用電気掃除機を作動させ吸引を開始させると、吸引筒３５の先端に対応する部分のダイヤフラム２５は、前記吸引筒３５から受ける吸引力により吸引されて基体２１から離間する方向（図１における上方向）に変位させられる。これにより、吸引筒３５の先端に対応する部分のダイヤフラム２５の裏面２５ｂが基体２１の表面２１ａから離間して前記ダイヤフラム２５の裏面２５ｂと基体２１の表面２１ａとの間を空気が流通可能となる。すなわち、排気弁２０は開状態となる。これにより、減圧収納袋１０内の空気は、第３排気孔１７、第１排気孔２２、離間してダイヤフラム２５の裏面２５ｂと基体２１の表面２１ａとの間、及び、第２排気孔２６を通って、吸引されて排気される。なお、ダイヤフラム２５の裏面２５ｂが基体２１の表面２１ａから離間する距離は、極めて微小であってもよい。
【００４２】
そして、図５に示されるように、減圧収納袋１０内の空気が十分に排気されて減圧状態又は真空状態となり、収納物３１が十分に圧縮減容されると、使用者は前記家庭用電気掃除機を停止させる。すると、吸引筒３５の吸引力が消滅するので、前記吸引筒３５の先端に対応する部分のダイヤフラム２５は元の状態に復帰する。これにより、吸引筒３５の先端に対応する部分のダイヤフラム２５の裏面２５ｂが基体２１の表面２１ａに再び密着し、前記ダイヤフラム２５の裏面２５ｂと基体２１の表面２１ａとの間は空気が流通不能となる。すなわち、排気弁２０は閉状態に復帰する。これにより、減圧収納袋１０の内部は、外気から気密に遮断された状態となるので、減圧状態又は真空状態が維持される。また、減圧収納袋１０内の圧力が外気の圧力よりも低くなるので、圧力差によってダイヤフラム２５が基体２１に押し付けられ、ダイヤフラム２５の裏面２５ｂと基体２１の表面２１ａとの密着性が高まり、排気弁２０の閉状態が確実に維持される。
【００４３】
したがって、収納物３１を圧縮減容して嵩を小さくした状態で保管することができ、家庭内の収納スペースを極めて有効に利用することができる。また、減圧収納袋１０の内部が減圧状態又は真空状態に維持されるので、防カビ、防虫等の効果も期待することができる。
【００４４】
なお、吸引筒３５の先端をダイヤフラム２５の表面２５ａに押し当てる際には、吸引筒３５における先端面内縁が図３に示されるような仮想円３５ａとほぼ一致するようにすることが望ましい。これにより、すべての第２排気孔２６が吸引筒３５における先端面内縁の内側に位置することとなるので、すべての第２排気孔２６を通して減圧収納袋１０内の空気が吸引筒３５によって吸引されることとなる。
【００４５】
そのため、ダイヤフラム２５が透明又は半透明である場合には基体２１の表面２１ａに、また、ダイヤフラム２５が不透明である場合にはダイヤフラム２５の表面２５ａに、前記仮想円３５ａと同様の円を、印刷等によって描画しておくことが望ましい。これにより、使用者は、描画された円を目標として、吸引筒３５の先端をダイヤフラム２５の表面２５ａの適切な位置に、容易、かつ、正確に押し当てることが可能となる。
【００４６】
もっとも、吸引筒３５の位置が大きくずれてしまい、その先端面内縁が仮想円３５ａと一致しなくても、第１排気孔２２の一部分及び第２排気孔２６のうちのいくつかが、前記先端面内縁の内側に位置していればよい。この場合、前記先端面内縁の内側に位置する第２排気孔２６のみを通して減圧収納袋１０内の空気が吸引筒３５によって吸引されることとなる。また、前記先端面内縁の内側に位置しない第２排気孔２６の周囲のダイヤフラム２５は、吸引されないのであるから、その裏面２５ｂが基体２１の表面２１ａから離間することがない。したがって、前記先端面内縁の内側に位置しない第２排気孔２６を通して、外気が減圧収納袋１０内又は吸引筒３５に流入することがない。
【００４７】
特に、図３に示されるように、複数の第２排気孔２６が第１排気孔２２の周辺に均等に配置されている場合、吸引筒３５の位置がいずれの方向にずれても、第２排気孔２６のうちのいくつかが、前記吸引筒３５の先端面内縁の内側に位置することとなる。したがって、使用者による吸引筒３５の操作にばらつきがあっても、確実に減圧収納袋１０内の空気を排気することができる。
【００４８】
このように、本実施の形態においては、排気弁２０は、第１排気孔２２を備える基体２１と、第２排気孔２６を備えるダイヤフラム２５とを有し、減圧収納袋１０に取り付けられ、減圧収納袋１０内の空気を排出し、減圧収納袋１０内への空気の流入を阻止する一方向弁として機能する。そして、基体２１は、第１排気孔２２が厚さ方向に貫通するように形成されたプレート状の部材であり、第１排気孔２２が減圧収納袋１０の袋本体１１に形成された第３排気孔１７と重なるように袋本体１１の表面１１ａに固着され、ダイヤフラム２５は、第２排気孔２６が厚さ方向に貫通するように形成されたフィルム状の部材であり、第２排気孔２６が第１排気孔２２と重ならないように基体２１の表面２１ａに剥離可能に貼付され、ダイヤフラム２５の表面２５ａが吸引されると、第２排気孔２６と第１排気孔２２とが連通し、表面２５ａが吸引されないと第２排気孔２６と第１排気孔２２との間が遮断される。
【００４９】
これにより、軽量で厚さ寸法が微小であり、構成が簡素化で、コストが低く、耐久性が高く、信頼性の高い一方向弁を提供することができる。
【００５０】
また、ダイヤフラム２５の裏面２５ｂは、微粘着性を備え、かつ、再貼付性及び再剥離性を備える。したがって、長期間に亘（わた）って繰り返し使用することができる。
【００５１】
さらに、第２排気孔２６は、複数であり、第１排気孔２２の周辺に均等に配置される。したがって、使用者による吸引筒３５の操作にばらつきがあっても、確実に減圧収納袋１０内の空気を排気することができる。
【００５２】
なお、本発明は前記実施の形態に限定されるものではなく、本発明の趣旨に基づいて種々変形させることが可能であり、それらを本発明の範囲から排除するものではない。
【産業上の利用可能性】
【００５３】
本発明は、排気弁及びそれを有する減圧収納袋に適用することができる。
【符号の説明】
【００５４】
１０    減圧収納袋
１１    袋本体
１１ａ、２１ａ、２５ａ    表面
１７    第３排気孔
２０    排気弁
２１    基体
２１ｂ、２５ｂ    裏面
２２    第１排気孔
２５    ダイヤフラム
２６    第２排気孔
【図１】
2011102142.tif 000003
【図２】
2011102142.tif 000004
【図３】
2011102142.tif 000005
【図４】
2011102142.tif 000006
【図５】
2011102142.tif 000007